(57)【要約】  二重栓式水容器を上部に逆さに装着して、給水器の内部に水を供給する水容器付き給水器の製造方法において、上部は広く下部は狭い漏斗状をしており、上部の周縁部に水容器を支持する水容器装着部と、水容器装着部の下部の中央部から上側に突出し、上部が水容器の入口に挿入され、上部の側面に水が流入する流入口が設けられて下側に水を供給する水供給管と、水供給管の上部の中心部から上側に突出し、水供給管の内径より小さな直径を有する支持棒とを上下金型を使用して一体に成形する本体の成形工程と、水容器の内栓が挿入される半球形に形成され、中心部に垂直方向に支持棒が挿入される貫通孔が形成された栓固定部を支持棒と結合させる栓固定部の結合工程とを含む水容器付き給水器の製造方法。水容器付き給水器をスライドコアのない金型で製造するため、製造コストを著しく低下させ、金型跡によって水容器の外栓が破損することを防止できる。【代表図】  図１
2009537405.tif 000002
【特許請求の範囲】
【請求項１】
外栓および内栓からなる二重栓式水容器を給水器の上部に逆さに装着して、前記給水器に水を供給する水容器付き給水器の製造方法において、
上部は広く、下部は狭い漏斗状をしており、前記上部の周縁部に前記水容器を支持する水容器装着部と
前記水容器装着部の下部の中央部から上側に突出し、上部が前記水容器の入口に挿入され、上部の側面に水が流入し得る流入口が設けられて下側に水を供給する水供給管と
前記水供給管の上部の中心部から上側に突出し、前記水供給管の内径より小さな直径を有する支持棒とを、上下金型を使用して一体に成形する成形工程と、
前記水容器の内栓を挿入しうる半球形に形成され、中心部に垂直方向に前記支持棒を挿入しうる貫通孔が形成された栓固定部を、前記支持棒と結合させる栓固定部の結合工程とを含むことを特徴とする水容器付き給水器の製造方法。
【請求項２】
前記成形工程において、前記水供給管の上部の内側に位置し、前記水供給管の内壁から中心側に板状に突出し、上部では互いに連結され、下に行くほど水供給管の内壁側に傾いた形状を有する誘導板が一体に成形されることを特徴とする請求項１に記載の水容器付き給水器の製造方法。
【請求項３】
前記栓固定部の結合工程では、前記栓固定部と前記支持棒とが熱融着法によって結合されることを特徴とする請求項１または２に記載の水容器付き給水器の製造方法。
【発明の詳細な説明】
【技術分野】
【０００１】
本発明は水容器付き給水器の製造方法に関し、更に詳細には、二重栓式水容器を取付けて水を供給する水容器付き給水器の製造方法に関する。
【背景技術】
【０００２】
一般的に、給水器は、上部に水容器を逆さに装着して使用する方式が多く利用されている。前記の給水器の上部には、水容器を支持する水容器付き給水器が設けられる。水容器付き給水器は、水容器の入り口に挿入される水供給管を備えて、水容器内の水を給水器に供給することができる。
【０００３】
ところが前記のような水容器付き給水器は、水容器を逆さに装着しなければならないため、水容器の装着時に、水がこぼれる恐れがある。この問題点を解決するための方策として、二重栓を使用する水容器が開示されている。
【０００４】
二重栓は、外栓が水容器の首部を密閉し、内栓が栓の中央に形成された管を密閉する構造を有する。二重栓式水容器は、給水器の上部に逆さに装着され、水供給管が内栓を水容器の内部に押し込みつつ、栓の中央に形成された管に挿入される。したがって、水がこぼれることなく、水供給管が水容器の内部に挿入される。
【０００５】
このような二重栓式水容器に挿入される水供給管は、内栓を水容器の内部に押し込みながら、上端が内栓により閉じられるため、水が流入する流入口が水供給管の側面に設けられることを特徴とする。
【０００６】
このような二重栓式水容器が装着される水容器付き給水器は、水供給管の側面に流入口を設けなければならないため、従来は、横方向に移動するスライドコアを有する金型で、水容器装着部および水供給管部を別々に製造して組み立てる方法により製造していた。
【０００７】
上述のように、水容器付き給水器は、横方向に移動するスライドコアを有する金型を用いて、水供給管部の側面を貫通する水流入口を形成しながら水供給管部を作製し、そして、水供給管部を水容器付き給水器に結合させるという、複雑で時間のかかる過程により製造される。
【０００８】
ところが、横方向に移動するスライドコアを有する金型を用いる水容器付き給水器の製造工程は、水供給管部を製造したのち、水供給管の側面に流入口を設け、それを水容器装着部と結合するという複雑な過程を経るため、製造コストが高くなるという問題があった。
【０００９】
さらに、横方向に移動するスライドコアによる横方向の金型跡が水供給管の側面に残り、縦方向に動く水容器の外栓の動作により、横方向の金型跡と水容器の外栓の動く方向が直交する。したがって水容器の装着時に、水容器の外栓が破損する恐れがあり、破損または分離した水容器の外栓が水供給管を通って、ユーザーに供給される水に混入するという問題があった。
【００１０】
また、別々に製造された水容器装着部および水供給管部を組み立てなければならないため、製造時間が長く、組立て過程で不良品が発生する恐れがあり、結合が堅固でないため、漏水が発生する恐れがあった。
【発明の開示】
【発明が解決しようとする課題】
【００１１】
本発明は、前記問題点を解決するためになされたもので、二重栓式水容器を装着する水容器付き給水器を、スライドコアのない金型を使用して、一体物として製造する方法を提供することを目的とする。
【００１２】
本発明の他の目的および長所は、下記に説明されるとおりであり、本発明の実施形態によって理解される。また、本発明の目的および長所は、特許請求の範囲に示す手段および組み合わせにより実現される。
【課題を解決するための手段】
【００１３】
前記の目的を解決するため、本発明の水容器付き給水器の製造方法は、外栓および内栓からなる二重栓式水容器を給水器の上部に逆さに装着して、給水器に水を供給する水容器付き給水器の製造方法において、
上部は広く下部は狭い漏斗状をしており、上部の周縁部に前記水容器を支持する水容器装着部と、
水容器装着部の下部の中央部から上側に突出し、上部が水容器の入口に挿入され、上部の側面に水が流入し得る流入口が設けられて下側に水を供給する水供給管と、
水供給管の上部の中心部から上側に突出し、水供給管の内径より小さな直径を有する支持棒とを、上下金型を使用して一体に成形する成形工程と、
水容器の内栓を挿入しうる半球形に形成され、中心部に垂直方向に支持棒を挿入しうる貫通孔が形成された栓固定部を、支持棒と結合させる栓固定部の結合工程とを含むことを特徴とする。
【００１４】
また本発明の水容器付き給水器の製造方法は、成形工程において、水供給管の上部の内側に位置し、水供給管の内壁から中心側に板状に突出し、上部では互いに連結され、下に行くほど水供給管の内壁側に傾いた形状を有する誘導板が一体に成形されることを特徴とする。
【００１５】
さらに本発明の水容器付き給水器の製造方法は、栓固定部の結合工程で、栓固定部と支持棒とが熱融着法によって結合されることを特徴とする。
【発明の効果】
【００１６】
本発明の水容器付き給水器の製造方法によれば、二重栓式水容器が取付けられた水容器付き給水器を、横方向に移動するスライドコアを有しない金型を用いて、一度に製造することができるため、製造工程が簡単であり、かつ製造コストを著しく低くすることができる。
【００１７】
また、横方向に移動するスライドコアが製造過程で使用されないため、スライドコアによる横方向の金型跡によって、縦方向に移動する水容器の外栓が破損することを防止できる。
【００１８】
さらに水容器付き給水器が一体的に製造されるため、非常に堅固であり、組立て不良による不良品が発生することがない。したがって漏水を防止することができる。水供給管の内部の誘導板を一体に製造することによって、水および空気が水供給管を円滑に流れることができるため、ユーザーに水を間断なく供給することができる。
【発明を実施するための最良の形態】
【００１９】
以下、添付図面を参照して本発明の好ましい実施形態を詳細に説明する。
【００２０】
本明細書および特許請求の範囲で使用された用語および単語は、通常的・辞書的な意味に限定解釈してはならない。また、発明者は自身の発明を最善の方法で説明するため用語の概念を適切に定義できるという原則に基づいて、用語および単語は本発明の技術的思想に符合する意味および概念に解釈しなければならない。
【００２１】
したがって、本明細書に記載された実施形態および図面に示す構成は、本発明の最も好ましい一実施形態に過ぎず、本発明の技術的思想を全て示すものではないため、本出願時点において、それらを代替することができる多様な均等物および変形例があり得る。
【００２２】
図１は本発明の一実施形態に係る水容器付き給水器の製造方法を示すフローチャートであり、図２は図１に示す製造方法により製造された水容器付き給水器の斜視図であり、図３は図２に示す水容器付き給水器の分解斜視図であり、図４は図２に示す水容器付き給水器の断面図であり、図５は図２に示す水容器付き給水器が給水器に設置された状態を示す断面図である。
【００２３】
図１〜図５に示すように、本発明の一実施形態に係る水容器付き給水器の製造方法は、水容器付き給水器本体の成形工程および栓固定部の結合工程を含む。
【００２４】
まず水容器付き給水器本体の成形工程（図１、Ｓ１００）を説明する。
【００２５】
水容器付き給水器本体の成形工程（図１、Ｓ１００）は、水容器付き給水器１００の本体をスライドコアのない上下金型を使用して、一体に成形する工程である。
【００２６】
水容器付き給水器本体は水容器装着部１１０および水供給管１２０を備える。
【００２７】
水容器装着部１１０は、上部は広く、下部は狭い漏斗状をしており、上部の周縁部により水容器２００を支持する。
【００２８】
また水供給管１２０は、水容器装着部１１０の下部中央部から上側に突出した形状を有する。したがって、水容器２００が水容器装着部１１０に装着されれば、水供給管１２０は水容器２００の入口に挿入される。
【００２９】
このとき水供給管１２０の上部は、水容器２００の内栓（図示しない）によって閉じられた状態となり、上部の側面に設けられた流入口１２１を通って水が流入する。
【００３０】
そして、流入口１２１を通って水が流入し、水供給管１２０の下方に流れると、それと同時に、空気が水供給管１２０を通って水容器２００に供給される。ところが水と空気の流れは互いに逆方向であるため、水と空気が衝突して円滑に流れることができない。
【００３１】
したがって、水および空気の円滑な流れのため、水供給管１２０の内部に一つ以上の誘導板１２３を形成することが好ましい。
【００３２】
誘導板１２３は水供給管１２０の内側の上部に位置し、水供給管１２０の内壁から中心側へ板状に突出して、上部で互いに連結され、下へいくほど水供給管１２０の内壁側に傾いた形状を有する。
【００３３】
誘導板１２３が４個である場合、水供給管１２０は誘導板１２３によって４つの部分に分けられ、水および空気の流れも分けられる。したがって、水と空気は互いに衝突せずに円滑に流れる。
【００３４】
誘導板１２３は下側に行くほど水供給管１２０の内壁側に傾いた形状を有するため、誘導板１２３を経て下側に流れる水は、水供給管１２０の内壁側に誘導される。
【００３５】
したがって、水供給管１２０の下部では水が内壁に沿って流れ、水供給管１２０の中心部に形成された空間には空気が流れることができる。したがって、誘導板１２３が形成されていない水供給管１２０の下部においても、水と空気は互いに流れを妨害せず円滑に流れる。
【００３６】
次いで、栓固定部の結合工程（Ｓ２００）を説明する。
【００３７】
栓固定部の結合工程（Ｓ２００）は、栓固定部１３０を支持棒１２２に結合させる工程である。
【００３８】
支持棒１２２は、水供給管１２０の上部の中心から上側に突出し、水供給管１２０の内径より小さな直径を有する。
【００３９】
また、支持棒１２２は、本体の成形工程（Ｓ１００）において、水容器装着部１１０および水供給管１２０と共に一体に成形されることが好ましい。
【００４０】
栓固定部１３０は、水容器２００の内栓（図示せず）が挿入されうる半球形に形成されており、栓固定部１３０の中心部には垂直方向に貫通孔１３１が形成されて、支持棒１２２に挿入されて結合される。
【００４１】
支持棒１２２は、栓固定部１３０を貫通して栓固定部１３０の上側に突出する程度の長さを有し、支持棒１２２の突出した部分を熱融着法によって栓固定部１３０に固定させる。
【００４２】
このとき、栓固定部１３０に形成された貫通孔１３１は、上部に行くほど内径が大きくなることが好ましい。したがって、支持棒１２２は、突出した部分が熱融着されれば、貫通孔１３１の形状のように、上部に行くほど直径が大きくなる形状になる。
【００４３】
前述の、栓固定部１３０に形成された貫通孔１３１の形状、および、熱融着された支持棒１２２の形状によって、栓固定部１３０および支持棒１２２はさらに堅く結合する。
【００４４】
以上、本発明は限定された実施形態によって説明されたが、本発明はそれによって限定されることはなく、当業者によって本発明の技術思想および特許請求の範囲の均等な範囲内で多様な修正および変形が可能であるということは言うまでもない。
【図面の簡単な説明】
【００４５】
【図１】本発明の一実施形態に係る水容器付き給水器の製造方法を示すフローチャート
【図２】図１に示す製造方法により製造された水容器付き給水器の斜視図
【図３】図２に示す水容器付き給水器の分解斜視図
【図４】図２に示す水容器付き給水器の断面図
【図５】図２に示す水容器付き給水器が給水器に設置された状態を示す断面図
【符号の説明】
【００４６】
１００   水容器付き給水器
１１０   水容器装着部
１２０   水供給管
１２１   流入口
１２２   支持棒
１２３   誘導板
１３０   栓固定部
１３１   貫通孔
２００       水容器
【図１】
2009537405.tif 000003
【図２】
2009537405.tif 000004
【図３】
2009537405.tif 000005
【図４】
2009537405.tif 000006
【図５】
2009537405.tif 000007
【国際調査報告】
2009537405.tif 000008
2009537405.tif 000009